(57)【特許請求の範囲】
【請求項１】
第１電極、第２電極、および前記第１電極と第２電極との間に介在されるセパレータを含む電極組立体；
前記電極組立体を収容するケース；
前記ケースの開口を覆うキャッププレート；
前記ケースの外部に突出し、前記第２電極に電気的に連結される電極端子；および
前記電極端子と前記キャッププレートとの間に位置し、前記電極端子と前記キャッププレートとを電気的に連結する抵抗部材
を含み、
前記抵抗部材の抵抗は、前記電極端子の抵抗よりも大きく形成され、
前記電極端子は、
前記キャッププレートの開口を通じて突出する柱部；および
前記ケースの外部で前記柱部に結合されるターミナルプレートを含み、
前記抵抗部材は、前記ターミナルプレートで前記電極端子と前記キャッププレートとを電気的に連結し、
前記第１電極に電気的に連結される短絡タブ；および
前記第２電極に電気的に連結され、２次電池の内部圧力が基準圧力を超える時に変形されて前記短絡タブと接触し、前記第１電極と第２電極とを短絡させるように構成される可変プレートを含み、
前記第１電極と前記第２電極との間は、前記第２電極、前記ターミナルプレート、前記抵抗部材、前記キャッププレート、前記可変プレート、前記短絡タブ、前記第１電極という経路を通じて短絡している、
２次電池。
【請求項２】
前記柱部を囲み、前記柱部を前記キャッププレートと前記抵抗部材からそれぞれ絶縁させる絶縁ガスケットをさらに含む、請求項１に記載の２次電池。
【請求項３】
前記抵抗部材は、
前記キャッププレートの溝で前記キャッププレートと結合される第１突起；および
前記ターミナルプレートの溝で前記ターミナルプレートと結合される第２突起を含む、請求項１に記載の２次電池。
【請求項４】
前記抵抗部材の抵抗が、前記柱部、ターミナルプレートまたはキャッププレートのうちの少なくとも一つの抵抗よりも大きく形成される、請求項１に記載の２次電池。
【請求項５】
前記抵抗部材は、スチール、ステンレススチール、またはニッケル合金鋼のうちの少なくとも一つを含む、請求項１に記載の２次電池。
【請求項６】
前記抵抗部材は、本体と、前記本体にメッキされるメッキ層とを含む、請求項１に記載の２次電池。
【請求項７】
前記本体は、スチール、ステンレススチール、またはニッケル合金鋼のうちの少なくとも一つを含み、前記メッキ層は、ニッケルまたは錫のうちの少なくとも一つを含む、請求項６に記載の２次電池。
【請求項８】
前記本体とメッキ層の抵抗は、前記電極端子またはキャッププレートのうちの少なくとも一つの抵抗よりも大きく形成される、請求項６に記載の２次電池。
【請求項９】
前記抵抗部材は、
前記キャッププレートと接触する第１抵抗部；および
前記電極端子と接触する第２抵抗部を含む、請求項１に記載の２次電池。
【請求項１０】
前記第１抵抗部は第１素材を含み、前記第２抵抗部は前記第１素材の抵抗と異なる抵抗を有する第２素材を含む、請求項９に記載の２次電池。
【請求項１１】
前記第１抵抗部と第２抵抗部のうちの一つは、スチール、ステンレススチールまたはニッケル合金鋼のうちの少なくとも一つを含み、前記第１抵抗部と第２抵抗部のうちの他の一つは、アルミニウムを含む、請求項９に記載の２次電池。
【請求項１２】
前記第１抵抗部は、前記キャッププレートの溝で前記キャッププレートと結合される第１突起を含み、
前記第２抵抗部は、前記電極端子の溝で前記電極端子と結合される第２突起を含む、請求項９に記載の２次電池。
【請求項１３】
前記第１抵抗部または第２抵抗部のうちの少なくとも一つの抵抗は、前記電極端子またはキャッププレートのうちの少なくとも一つの抵抗よりも大きく形成される、請求項９に記載の２次電池。
【請求項１４】
前記キャッププレートと前記短絡タブとの間に位置し、前記可変プレートの上に開口を有する絶縁部材をさらに含み、
前記可変プレートは、前記２次電池の内部圧力が基準圧力を超える時、前記開口を通じて突出して前記短絡タブと接触するように構成された、請求項１に記載の２次電池。
【請求項１５】
前記可変プレートの周辺部は前記キャッププレートに付着され、前記周辺部の内側で前記可変プレートの内側部は前記キャッププレートの開口内に整列される、請求項１に記載の２次電池。
【請求項１６】
前記ケース外側に突出し、前記第１電極と電気的に連結される他の電極端子をさらに含み、前記可変プレートが前記短絡タブと接触する時、前記第１電極と第２電極は前記抵抗部材、前記キャッププレートおよび前記さらに他の電極端子を通じて短絡されるように構成された、請求項１に記載の２次電池。
【請求項１７】
前記可変プレートが前記短絡タブと接触する時、前記電極端子、抵抗部材およびキャッププレートを通じて形成される第２電気的連結経路は、前記電極端子を通じて形成される、柱部とターミナルプレートとの間の第１電気的連結経路の抵抗よりも大きい抵抗を有する、請求項１に記載の２次電池。
【発明の詳細な説明】
【技術分野】
【０００１】
本記載は、２次電池に関する。
【背景技術】
【０００２】
２次電池（ｒｅｃｈａｒｇｅａｂｌｅ  ｂａｔｔｅｒｙ）は一次電池とは異なり、充電および放電を反復的に行う電池である。小容量の２次電池は、携帯電話機やノートパソコンおよびビデオカメラのように携帯可能な小型電子機器に使用され、大容量２次電池は、ハイブリッド自動車などのモータ駆動用電源として使用され得る。
【０００３】
最近、高エネルギー密度の非水電解液を利用した高出力２次電池が開発されている。高出力２次電池は大電力を必要とする機器、例えば、電気自動車などのモータ駆動に使用され得る。
【０００４】
２次電池は、セパレータ（ｓｅｐａｒａｔｏｒ）を間に置いて正極と負極を巻き取って形成される電極組立体、電極組立体を内蔵するケース、ケースの開口を密閉するキャッププレート、およびキャッププレートを貫通して電極組立体に電気的に連結される電極端子を含む。
【０００５】
２次電池において、充電および放電が反復されるため、ケース内部で過度な熱が発生したり電解液が分解されたりすることがある。このような熱発生または電解液分解は２次電池の内部圧力を上昇させることがある。内部圧力上昇は２次電池の安全性を損なうことがある。内部圧力上昇によって安全性が損なわれることを防止するために、ケースの外部に外部短絡部が備えられ得る。
【０００６】
外部短絡部は、２次電池の内部圧力上昇時、電極組立体の負極と正極を２次電池の外部で短絡させて電極組立体の充電状態（ｓｔａｔｅ  ｏｆ  ｃｈａｒｇｅ）を低める。しかしながら、外部短絡の抵抗値が小さいため、外部短絡電流が電極組立体を過度に貫通することがある。したがって、電極組立体で安全性の問題が発生し得る。
【発明の概要】
【発明が解決しようとする課題】
【０００７】
本発明の一側面は、その目的は、外部短絡時、外部短絡電流を減少させることによって、電極組立体で外部短絡電流の貫通特性を改善した２次電池を提供することにある。
【０００８】
本発明の一側面は、その目的は、外部短絡時、外部短絡抵抗値を大きくすることによって、電極組立体で外部短絡電流の貫通特性を改善した２次電池を提供することにある。
【課題を解決するための手段】
【０００９】
本発明の一実施形態による２次電池は、第１電極、第２電極、および前記第１電極と第２電極との間に介在されるセパレータを含む電極組立体；前記電極組立体を収容するケース；前記ケースの開口を覆うキャッププレート；前記ケースの外部に突出し、前記第２電極に電気的に連結される電極端子；および前記電極端子と前記キャッププレートとの間に位置し、前記電極端子と前記キャッププレートとを電気的に連結する抵抗部材を含む。
【００１０】
前記抵抗部材の抵抗は、前記電極端子の抵抗よりも大きく形成されてもよい。
【００１１】
前記電極端子は、前記キャッププレーの開口を通じて突出する柱部；および前記ケースの外部で前記柱部に結合されるターミナルプレートを含み、前記抵抗部材は、前記ターミナルプレートで前記電極端子と前記キャッププレートとを電気的に連結してもよい。
【００１２】
前記柱部を囲み、前記柱部を前記キャッププレートと前記抵抗部材からそれぞれ絶縁させる絶縁ガスケットをさらに含んでもよい。
【００１３】
前記抵抗部材は、前記キャッププレートの溝で前記キャッププレートと結合される第１突起；および前記ターミナルプレートの溝で前記ターミナルプレートと結合される第２突起を含んでもよい。
【００１４】
前記抵抗部材の抵抗が、前記柱部、ターミナルプレートまたはキャッププレートのうちの少なくとも一つの抵抗よりも大きく形成されてもよい。
【００１５】
前記抵抗部材は、スチール（ｓｔｅｅｌ）、ステンレススチール、またはニッケル合金鋼（ｎｉｃｋｅｌ  ｓｔｅｅｌ  ａｌｌｏｙ）のうちの少なくとも一つを含んでもよい。
【００１６】
前記抵抗部材は、本体と、前記本体にメッキされるメッキ層とを含んでもよい。
【００１７】
前記本体は、スチール、ステンレススチール、またはニッケル合金鋼のうちの少なくとも一つを含み、前記メッキ層は、ニッケルまたは錫のうちの少なくとも一つを含んでもよい。
【００１８】
前記本体とメッキ層の抵抗は、前記電極端子またはキャッププレートのうちの少なくとも一つの抵抗よりも大きく形成されてもよい。
【００１９】
前記抵抗部材は、前記キャッププレートと接触する第１抵抗部；および前記電極端子と接触する第２抵抗部を含んでもよい。
【００２０】
前記第１抵抗部は第１素材を含み、前記第２抵抗部は前記第１素材の抵抗と異なる抵抗を有する第２素材を含んでもよい。
【００２１】
前記第１抵抗部と第２抵抗部のうちの一つは、スチール、ステンレススチールまたはニッケル合金鋼のうちの少なくとも一つを含み、前記第１抵抗部と第２抵抗部のうちの他の一つは、アルミニウムを含んでもよい。
【００２２】
前記第１抵抗部は、前記キャッププレーの溝で前記キャッププレートと結合される第１突起を含み、前記第２抵抗部は、前記電極端子の溝で前記電極端子と結合される第２突起を含んでもよい。
【００２３】
前記第１抵抗部または第２抵抗部のうちの少なくとも一つの抵抗は、前記電極端子またはキャッププレートのうちの少なくとも一つの抵抗よりも大きく形成されてもよい。
【００２４】
前記第１電極に電気的に連結される短絡タブ；および前記第２電極に電気的に連結され、前記２次電池の内部圧力が基準圧力を超える時に変形されて前記短絡タブと接触し、前記第１電極と第２電極とを短絡させるように構成される可変プレートを含んでもよい。
【００２５】
前記キャッププレートと前記短絡タブとの間に位置し、前記可変プレートの上に開口を有する絶縁部材をさらに含み、前記可変プレートは、前記２次電池の内部圧力が基準圧力を超える時、前記開口を通じて突出して前記短絡タブと接触するように構成されてもよい。
【００２６】
前記可変プレートの周辺部は前記キャッププレートに付着され、前記周辺部の内側で前記可変プレートの内側部は前記キャッププレートの開口内に整列される。
【００２７】
前記ケース外側に突出し、前記第１電極と電気的に連結される他の電極端子をさらに含み、前記可変プレートが前記短絡タブと接触する時、前記第１電極と第２電極は前記抵抗部材、前記キャッププレートおよび前記さらに他の電極端子を通じて短絡されるように構成されてもよい。
【００２８】
前記可変プレートが前記短絡タブと接触する時、前記電極端子、抵抗部材およびキャッププレートを通じて形成される第２電気的連結経路は、前記電極端子を通じて形成される第１電気的連結経路の抵抗よりも大きい抵抗を有する。
【発明の効果】
【００２９】
本発明の一実施形態によれば、可変プレートと正極端子の電気的な連結経路上に高い電気抵抗値を有する抵抗部材を備えることによって、外部短絡時、外部短絡抵抗値を大きく形成して外部短絡電流を減少させる効果がある。したがって、電極組立体を貫通する外部短絡電流の貫通特性が改善される。
【図面の簡単な説明】
【００３０】
【図１】本発明の第１実施形態による２次電池の斜視図である。
【図２】図１の２次電池のＩＩ−ＩＩ線断面図である。
【図３】図１の２次電池において短絡タブと可変プレートとの分離状態を示した断面図である。
【図４】図１の２次電池において短絡タブと可変プレートとの短絡状態を示した断面図である。
【図５】図１の２次電池において電極端子とキャッププレートとの分解状態を示した斜視図である。
【図６】図５の電極端子とキャッププレートのＶＩ−ＶＩ線断面図である。
【図７】本発明の第２実施形態による２次電池において電極端子とキャッププレートとの結合状態を示した断面図である。
【図８】本発明の第３実施形態による２次電池において電極端子とキャッププレートとの分解状態を示した斜視図である。
【図９】図８の電極端子とキャッププレートのＩＸ−ＩＸ線断面図である。
【発明を実施するための形態】
【００３１】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００３２】
図１は、本発明の第１実施形態による２次電池の斜視図であり、図２は、図１の２次電池のＩＩ−ＩＩ線断面図である。図１および図２を参照すれば、第１実施形態による２次電池１００は、電極組立体１０、電極組立体１０を内蔵するケース１５、ケース１５の開口に結合されるキャッププレート２０、およびキャッププレート２０に設置される第１電極端子（例えば、負極端子）２１と第２電極端子（例えば、正極端子）２２を含む。
【００３３】
一実施形態において、電極組立体１０は、絶縁体であるセパレータ１３の両面に第１電極（例えば、負極）１１と第２電極（例えば、正極）１２を配置し、第１電極１１、セパレータ１３および第２電極１２をゼリーロール状態で巻き取って形成される。また、電極組立体は、セパレータを間に置いて単一板からなる負極と正極を積層して組立てられてもよく、負極、セパレータおよび正極をジグザグ方式で畳んで積層して組立てられてもよい（図示せず）。
【００３４】
第１電極１１および第２電極１２は、それぞれ金属板の集電体に活物質を塗布したコーティング部、および活物質を塗布せずに露出された集電体で形成される無地部１１ａ、１２ａを含む。第１電極１１の無地部１１ａは、巻き取られる第１電極１１に沿って第１電極１１の一側端部に形成される。第２電極１２の無地部１２ａは、巻き取られる第２電極１２に沿って第２電極１２の一側端部に形成される。無地部１１ａ、１２ａは電極組立体１０の両端にそれぞれ配置される。
【００３５】
ケース１５は、内部に電極組立体１０と電解液を収容する空間を設定するようにほぼ直六面体からなり、外部と内部空間を連結する開口を直六面体の一面に形成する。開口は電極組立体１０をケース１５内部に挿入することができるようにする。
【００３６】
キャッププレート２０は、薄い鋼板からなり、ケース１５の開口に設置されることによってケース１５を密閉する。キャッププレート２０は、電解液注入口２９とベントホール２４をさらに備える。電解液注入口２９は、ケース１５にキャッププレート２０を結合した後、ケース１５内部に電解液の注入を可能にする。電解液注入後、電解液注入口２９は密封キャップ２７により密封される。
【００３７】
ベントホール２４は、２次電池１００の内部圧力の排出を可能にし、ベントプレート２５により密閉される。２次電池１００の内部圧力が設定圧力に到達すると、ベントプレート２５が開放される。ベントプレート２５は開放を誘導する切欠２５ａを有する。
【００３８】
第１電極端子２１および第２電極端子２２は、キャッププレート２０を貫通して設置され、電極組立体１０に電気的に連結される。つまり、第１電極端子２１は、電極組立体１０の第１電極１１に電気的に連結され、第２電極端子２２は、第２電極１２に電気的に連結される。したがって、電極組立体１０は、第１電極端子２１および第２電極端子２２を通じてケース１５の外部に引き出される。
【００３９】
第１電極端子２１は、キャッププレート２０の端子ホールに設置される柱部２１ａ、ケース１５の内側で柱部２１ａに形成されるフランジ２１ｂ、およびケース１５の外側に配置されて柱部２１ａに結合されるターミナルプレート２１ｄを含む。
【００４０】
第１電極ガスケット３６（例えば、負極ガスケット）は、第１電極端子２１の柱部２１ａとキャッププレート２０の端子ホール内面との間に設置され、第１電極端子２１の柱部２１ａとキャッププレート２０との間をシーリングする。第１電極ガスケット３６は、フランジ２１ｂとキャッププレート２０との間にさらに延長設置され、フランジ２１ｂとキャッププレート２０との間をさらにシーリングする。つまり、第１電極ガスケット３６は、キャッププレート２０に第１電極端子２１を設置することによって端子ホールを通じて電解液が漏れる（ｌｅａｋ）ことを防止する。第１電極ガスケット３６は絶縁ガスケットの一例に相当する。
【００４１】
第１電極リードタブ３１（例えば、負極リードタブ）は、第１電極端子２１を電極組立体１０の第１電極１１に電気的に連結する。つまり、第１電極リードタブ３１を柱部２１ａの下端に結合して下端をコーキング（ｃａｕｌｋｉｎｇ）することによって、第１電極リードタブ３１はフランジ２１ｂに支持されながら柱部２１ａの下端に結合される。第１電極絶縁部材４１（例えば、負極絶縁部材）は、第１電極リードタブ３１とキャッププレート２０との間に設置され、第１電極リードタブ３１とキャッププレート２０とを電気的に絶縁させる。
【００４２】
図３は、図１の２次電池において短絡タブと可変プレートとの分離状態を示した断面図であり、図４は、図１の２次電池において短絡タブと可変プレートとの短絡状態を示した断面図である。図３および図４を参照すれば、第１実施形態の２次電池１００は、内部圧力上昇時に第１電極１１と第２電極１２をケース１５の外部で短絡させる外部短絡部を第１電極端子２１に備える。例えば、外部短絡部は前記ケース１５内での内部圧力に応じて離隔または短絡される短絡タブ５１と可変プレート５３を含む。
【００４３】
再び図１および図２を参照すれば、短絡タブ５１は、第１電極端子２１に電気的に連結されてキャッププレート２０の外側に配置される。短絡タブ５１は、ケース１５の外側で柱部２１ａを貫通させながらターミナルプレート２１ｄと積層される。
【００４４】
絶縁部材３７は、短絡タブ５１とキャッププレート２０との間に設置され、短絡タブ５１とキャッププレート２０とを電気的に絶縁させる。キャッププレート２０は、第２電極端子２２に電気的に連結された状態である。
【００４５】
絶縁部材３７は、第１電極ガスケット３６の上方で第１電極端子２１の柱部２１ａとキャッププレート２０の端子ホール内面との間にさらに延長し、第１電極端子２１の柱部２１ａとキャッププレート２０との間を電気的にさらに絶縁させる。
【００４６】
短絡タブ５１とターミナルプレート２１ｄを第１電極端子２１の柱部２１ａの上端に積層結合して上端をコーキング（ｃａｕｌｋｉｎｇ）することによって、短絡タブ５１とターミナルプレート２１ｄは柱部２１ａの上端に結合される。したがって、短絡タブ５１とターミナルプレート２１ｄは絶縁部材３７を前記短絡タブ５１とキャッププレート２０との間に介在した状態でキャッププレート２０に支持される。
【００４７】
２次電池１００の内部圧力が上昇して基準圧力を超える時、可変プレート５３は変形されて短絡タブ５１に接触される。前記可変プレート５３が前記短絡タブ５１と接触する時、短絡タブ５１とキャッププレート２０は電気的に連結されて電極組立体１０の短絡状態を維持する。このために、可変プレート５３はキャッププレート２０の短絡ホール２３に設置される。短絡タブ５１は、第１電極端子２１に連結されて可変プレート５３を向かって伸びる。短絡ホール２３で短絡タブ５１と可変プレート５３は互いに向き合い、前記２次電池１００の内部圧力が基準圧力よりも低い時には離隔状態（図３参照）を維持し、または前記２次電池１００の内部圧力が基準圧力よりも高い時には短絡状態（図４参照）を維持する。
【００４８】
例えば、可変プレート５３は短絡ホール２３と絶縁部材ホール３７ａ内で絶縁部材３７とキャッププレート２０との間に配置される。可変プレート５３はケース１５の内側に凸の弧状断面に形成されてキャッププレート２０に電気的に連結される。
【００４９】
ケース１５の内部圧力が上昇すると可変プレート５３が反転して短絡ホール２３を通じてキャッププレート２０の外部に突出する（図４参照）。この時、可変プレート５３が短絡タブ５１に接触し、短絡タブ５１とキャッププレート２０とは電気的に連結される。つまり、電極組立体１０の第１電極１１と第２電極１２とが互いに短絡される。短絡時、短絡タブ５１と可変プレート５３を通じて第１電極端子２１と第２電極端子２２との間で瞬間的に大きい電流が流れる。これによって、電極組立体１０は放電される。
【００５０】
第１実施形態の２次電池１００は、電極組立体１０を貫通する外部短絡電流を減少させて貫通特性を改善する構成をさらに含む。第１実施形態の２次電池１００は、外部短絡電流を減少させるために、外部短絡抵抗値を増加させる構成を適用する。例えば、図２に示したように、２次電池１００は、可変プレート５３と第２電極端子２２との電気的な連結経路上に備えられる抵抗部材７０をさらに含む。抵抗部材７０は、連結経路の他の構成要素よりも高い電気抵抗値を有する。例えば、抵抗部材７０の抵抗は、第２電極端子２２の抵抗よりも大きく形成される。
【００５１】
図５は、図１の２次電池において第２電極端子とキャッププレートとの分解状態を示した斜視図である。図１、図２および図５を参照すれば、第２電極端子２２は、キャッププレート２０の端子ホール２０ａに設置される柱部２２ａ、ケース１５の内側で柱部２２ａに形成されるフランジ２２ｂ、およびケース１５の外側に配置されて柱部２２ａに積層結合される抵抗部材７０とターミナルプレート２２ｄを含む。
【００５２】
第２電極ガスケット３９（例えば、正極ガスケット）は、第２電極端子２２の柱部２２ａとキャッププレート２０の端子ホール２０ａ内面との間に設置され、第２電極端子２２の柱部２２ａとキャッププレート２０との間をシーリングする。第２電極ガスケット３９は、フランジ２２ｂとキャッププレート２０との間にさらに延長設置され、フランジ２２ｂとキャッププレート２０との間をさらにシーリングする。また、第２電極ガスケット３９は、第２電極端子２２の柱部２２ａと抵抗部材７０のホール内面との間にさらに延長設置され、第２電極端子２２の柱部２２ａと抵抗部材７０のホール内面との間をシーリングする。つまり、第２電極ガスケット３９は、キャッププレート２０に第２電極端子２２を設置することによって端子ホールを通じて電解液が漏れる（ｌｅａｋ）ことを防止する。第２電極ガスケット３９は絶縁ガスケットの一例に相当する。
【００５３】
第２電極リードタブ３２（例えば、正極リードタブ）は、第２電極端子２２を電極組立体１０の第２電極１２に電気的に連結する。つまり、第２電極リードタブ３２を柱部２２ａの下端に結合して下端をコーキング（ｃａｕｌｋｉｎｇ）することによって、第２電極リードタブ３２はフランジ２２ｂに支持されながら柱部２２ａの下端に結合される。第２電極絶縁部材４２（例えば、正極絶縁部材）は、第２電極リードタブ３２とキャッププレート２０との間に設置され、第２電極リードタブ３２とキャッププレート２０とを電気的に絶縁させる。
【００５４】
図６は、図５の電極端子とキャッププレートとが連結された状態のＶＩ−ＶＩ線断面図である。図６を参照すれば、抵抗部材７０とターミナルプレート２２ｄを第２電極端子２２の柱部２２ａの上端に積層結合して上端をコーキング（ｃａｕｌｋｉｎｇ）することによって、抵抗部材７０とターミナルプレート２２ｄは柱部２２ａの上端に結合される。したがって、抵抗部材７０とターミナルプレート２２ｄはキャッププレート２０に支持される。この時、抵抗部材７０はキャッププレート２０と柱部２２ａとを電気的に連結する。
【００５５】
抵抗部材７０は、キャッププレート２０に向かう下向突起７１とターミナルプレート２２ｄに向かう上向突起７３とを含む。キャッププレート２０に第２電極端子２２を組み立てた状態で、下向突起７１はキャッププレート２０の溝７２に結合され、上向突起７３はターミナルプレート２２ｄの溝７４に結合される。下向突起７１と溝７２は、キャッププレート２０上で抵抗部材７０の設置位置設定を容易にする。上向突起７３と溝７４は、抵抗部材７０上でターミナルプレート２２ｄの設置位置設定を容易にする。
【００５６】
図２および図６を参照すれば、可変プレート５３と第２電極端子２２は相互間に位置するキャッププレート２０と抵抗部材７０を通じて電気的な連結経路を形成する。抵抗部材７０は、第１電極端子２１および第２電極端子２２を通じて出力に影響を与えないながら、外部短絡時、第１電極端子２１と第２電極端子２２との間の外部短絡抵抗値を増大させることによって、外部短絡電流を減少させる。
【００５７】
抵抗部材７０は、柱部２２ａ、ターミナルプレート２２ｄ、またはキャッププレート２０のうちの少なくとも一つの抵抗値よりも高い抵抗値を有する。例えば、抵抗部材７０は、柱部２２ａ、ターミナルプレート２２ｄ、およびキャッププレート２０それぞれの抵抗値よりも高い抵抗値を有する。例えば、ターミナルプレート２２ｄはアルミニウムで形成され、抵抗部材７０はステンレススチール、スチールまたはニッケル合金鋼、例えばＩｎｖａｒ（Ｉｍｐｈｙ  Ａｌｌｏｙｓの登録商標であって、ＦｅＮｉ３６または６４ＦｅＮｉとも表記される）で形成されてもよい。抵抗部材７０は、ステンレススチール、スチールまたはニッケル合金鋼のうちの少なくとも一つを含んでもよい。
【００５８】
つまり、２次電池１００が正常作動時（図３に示されているように、可変プレート５３が短絡タブ５１と離隔した場合）、第２電極端子２２の柱部２２ａとターミナルプレート２２ｄの電気的な第１連結経路Ｌ１が形成される（図６のＬ１参照）。この時、抵抗部材７０は高い抵抗値にもかかわらず、正常作動する２次電池１００の出力に影響を与えない。
【００５９】
反対に、２次電池１００が外部短絡時（図４に示されているように、可変プレート５３が短絡タブ５１と接触する場合）、第２電極端子２２の柱部２２ａ、ターミナルプレート２２ｄ、抵抗部材７０およびキャッププレート２０の電気的な第２連結経路Ｌ２が形成される（図６のＬ２参照）。この時、抵抗部材７０は外部短絡された２次電池１００の外部短絡抵抗値を増大させることによって外部短絡電流を減少させる。したがって、電極組立体１０を貫通する外部短絡電流の貫通特性が安定化することができる。
【００６０】
以下、本発明の他の実施形態について説明し、第１実施形態および前述の実施形態と比較して同一の構成についての説明を省略し、互いに異なる構成について比較説明する。
【００６１】
図７は、本発明の第２実施形態による２次電池において第２電極端子とキャッププレートとの結合状態を示した断面図である。
【００６２】
第２実施形態の２次電池２００において、抵抗部材２７０は、本体２７１、および本体２７１の表面に形成されるメッキ層２７２を含む。前記本体２７１は、ステンレススチール、スチールまたはニッケル合金鋼、例えばＩｎｖａｒのうちの少なくとも一つからなる。前記メッキ層２７２は、ニッケル（Ｎｉ）または錫（Ｓｎ）からなってもよい。前記メッキ層２７２は、ニッケル（Ｎｉ）または錫（Ｓｎ）のうちの少なくとも一つを含んでもよい。抵抗部材２７０において、メッキ層２７２は、スチールで形成される本体２７１の腐食を防止する。例えば、本体２７１、およびメッキ層２７２の抵抗は、第２電極端子２２またはキャッププレート２０のうちの少なくとも一つの抵抗よりも大きく形成される。
【００６３】
つまり、２次電池２００が正常作動時、第２電極端子２２の柱部２２ａとターミナルプレート２２ｄの電気的な第１連結経路Ｌ１が形成される。この時、本体２７１およびメッキ層２７２は、柱部２２ａ、ターミナルプレート２２ｄ、およびキャッププレート２０よりも高い電気抵抗値にもかかわらず、正常作動する２次電池２００の出力に影響を与えない。
【００６４】
反対に、２次電池２００が外部短絡時、第２電極端子２２の柱部２２ａ、ターミナルプレート２２ｄ、本体２７１、メッキ層２７２およびキャッププレート２０の電気的な第２連結経路Ｌ２が形成される。この時、本体２７１およびメッキ層２７２は、外部短絡された２次電池２００の外部短絡抵抗値を増大させることによって外部短絡電流を減少させる。したがって、電極組立体１０を貫通する外部短絡電流の貫通特性が安定化することができる。
【００６５】
図８は、本発明の第３実施形態による２次電池において第２電極端子とキャッププレートとの分解状態を示した斜視図であり、図９は、図８の前記電極端子とキャッププレートとを結合した状態のＩＸ−ＩＸ線断面図である。
【００６６】
第３実施形態の２次電池４００において、抵抗部材３７０は、異種材質の第１抵抗部３７１と第２抵抗部３７２から形成される。例えば、第１抵抗部３７１の素材と、第２抵抗部３７２の素材とは異なる抵抗値を有している。第１抵抗部３７１と第２抵抗部３７２のうちの一つは、スチール、ステンレススチールまたはニッケル合金鋼のうちの少なくとも一つを含んでいてもよい。このとき、第１抵抗部３７１と第２抵抗部３７２のうちの他の一つは、アルミニウムを含んでいてもよい。また、例えば、第１抵抗部３７１と第２抵抗部３７２のうちの少なくとも一つの抵抗は、第２電極端子２２またはキャッププレート２０のうちの少なくとも一つの抵抗よりも大きく形成されてもよい。
【００６７】
例えば、第１抵抗部３７１はアルミニウムで形成され、第２抵抗部３７２は第１抵抗部３７１よりも高い電気抵抗値を有するステンレススチール、スチールまたはニッケル合金鋼、一例としてＩｎｖａｒのうちの少なくとも一つから形成されてもよい。第２抵抗部３７２は、柱部２２ａ、ターミナルプレート２２ｄ、およびキャッププレート２０よりも高い電気抵抗値を有する。また、第１抵抗部３７１は、ステンレススチール、スチールまたはニッケル合金鋼、一例としてＩｎｖａｒのうちの少なくとも一つからなり、第２抵抗部３７２は、アルミニウムから形成されてもよい。ひいては、前記第１、２抵抗部３７１、３７２は、本体に形成されるメッキ層（一例として、ニッケルまたは錫メッキ層）を含むこともできる。
【００６８】
第１抵抗部３７１は、キャッププレート２０に向かう下向突起７１を形成してキャッププレート２０に結合される。第２抵抗部３７２は、ターミナルプレート２２ｄに向かう上向突起７３を形成してターミナルプレート２２ｄに結合される。キャッププレート２０に第２電極端子２２を組み立てた状態で、下向突起７１と溝７２はキャッププレート２０上で第１抵抗部３７１の設置位置設定を容易にする。上向突起７３と溝７４は第２抵抗部３７２上でターミナルプレート２２ｄの設置位置設定を容易にする。
【００６９】
つまり、２次電池４００が正常作動時、第２電極端子２２の柱部２２ａとターミナルプレート２２ｄの電気的な第１連結経路Ｌ１が形成される。この時、第１、第２抵抗部３７１、３７２は高い電気抵抗値にもかかわらず、正常作動する２次電池４００の出力に影響を与えない。
【００７０】
反対に、２次電池４００が外部短絡時、第２電極端子２２の柱部２２ａ、ターミナルプレート２２ｄ、第１、第２抵抗部３７１、３７２およびキャッププレート２０の電気的な第２連結経路Ｌ２が形成される。この時、第１、第２抵抗部３７１、３７２は、外部短絡された２次電池４００の外部短絡抵抗値を増大させることによって外部短絡電流を減少させる。したがって、電極組立体１０を貫通する外部短絡電流の貫通特性が安定化することができる。
【００７１】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【符号の説明】
【００７２】
１０…電極組立体
１１…第１電極
１１ａ、１２ａ…無地部
１２…第２電極
１３…セパレータ
１５…ケース
２０…キャッププレート
２１…第１電極端子
２２…第２電極端子
２１ａ、２２ａ…柱部
２１ｂ、２２ｂ…フランジ
２１ｄ、２２ｄ…ターミナルプレート
２３…短絡ホール
２４…ベントホール
２５…ベントプレート
２５ａ…切欠
２７…密封キャップ
２９…電解液注入口
３１…第１電極リードタブ
３６…第１電極ガスケット
３７…絶縁部材
３９…第２電極ガスケット
５１…短絡タブ
５３…可変プレート
７０、２７０、３７０…抵抗部材
７１…下向突起
７２、７４…溝
７３…上向突起
１００、２００、４００…２次電池
２７１…本体
２７２…メッキ層
３７１、３７２…第１、第２抵抗部
Ｌ１、Ｌ２…第１、第２連結経路
【図１】
0005481443.tif 000002
【図２】
0005481443.tif 000003
【図３】
0005481443.tif 000004
【図４】
0005481443.tif 000005
【図５】
0005481443.tif 000006
【図６】
0005481443.tif 000007
【図７】
0005481443.tif 000008
【図８】
0005481443.tif 000009
【図９】
0005481443.tif 000010